(57)【要約】      （修正有）【課題】ニット製品の手洗い洗濯を短時間で完了させて、縮みや型崩れを防止できるニット製品の手洗い洗濯用補助具兼平干し台を使用したニット製品の手洗い洗濯方法を提供する。  【解決手段】ニット製品の手洗い洗濯方法は、ニット製品を手洗い洗濯する際、ニット製品の手洗い洗濯用補助具兼平干し台１を用いて濯ぎを行う洗濯方法である。ニット製品の手洗い洗濯用補助具兼平干し台１は、棚部１０と脚部１４とを備え、棚部１０は平坦で通水孔１３を有し、上面側は、ニット製品が重ならないよう広げた状態で載せることができる大きさで、脚部１４は、棚部１０を略水平に支持するように、棚部１０の下面側に固定手段により固定されている。棚部１０の上面側に、洗剤液の中で洗ったニット製品を広げて載せ、上方よりきれいな水を勢いよく散水することにより濯ぎを行う。【選択図】図１
2018094047.tif 000002
【特許請求の範囲】
【請求項１】
ニット製品を手洗い洗濯するときの濯ぎの工程で用いられる、あるいは、洗濯したニット製品を乾燥させるときに用いられるものであって、
棚部と脚部とを備え、
前記棚部は、平坦で通水孔を有し、上面側は、前記ニット製品が重ならないよう広げた状態で載せることができる大きさで、
前記脚部は、前記棚部を略水平に支持するように、前記棚部の下面側に固定手段により固定されていることを特徴とするニット製品の手洗い洗濯用補助具兼平干し台。
【請求項２】
前記棚部が略半分に分割され、
該分割された前記棚部の上面側が合わさるように、該分割された部分が、折り畳み可能な連結手段で連結されていることを特徴とする請求項１に記載のニット製品の手洗い洗濯用補助具兼平干し台。
【請求項３】
前記脚部が前記棚部に、折り畳み自在の連結手段により連結されていることを特徴とする請求項１又は請求項２に記載のニット製品の手洗い洗濯用補助具兼平干し台。
【請求項４】
第１工程から第２工程、第３工程、第４工程の順に行われる洗濯方法であって、
ニット製品が重ならないよう広げた状態で収納できる大きさの洗濯ネットに、前記ニット製品を重ならないよう広げた状態で収納する第１工程と、
前記ニット製品を、洗剤を含む洗浄液の中で手洗いする第２工程と、
洗浄後の前記洗濯ネットに収納された前記ニット製品を、請求項１から請求項３までの何れか１項に記載のニット製品の手洗い洗濯用補助具兼平干し台の前記棚部の上面側に広げて載せ、上方よりきれいな水を勢いよく散水することにより濯ぎを行う第３工程と、
濯ぎが完了した前記ニット製品を、洗濯機で脱水し、前記洗濯ネットから取り出す第４工程とで構成されていることを特徴とするニット製品の手洗い洗濯方法。
【発明の詳細な説明】
【技術分野】
【０００１】
本発明は、ニット製品の手洗い洗濯用補助具兼平干し台及び、そのニット製品の手洗い洗濯用補助具兼平干し台を使用したニット製品の手洗い洗濯方法に関する。
【背景技術】
【０００２】
従来、ニット素材で作られたセーターやカーディガンなどのニット製品を、家庭において手洗い洗濯するときは、ニット製品を扱い易い大きさに折り畳み、容器に作った洗浄液の中で該ニット製品を押し洗いし、洗浄後は容器に溜めた水で濯ぎ、洗濯機で脱水するという方法が一般的である。
また、特許文献１の洗濯物干し具は、図２１に示すように、セーター等の洗濯後の乾燥にあって、該洗濯物を干し癖との型くずれを生じさせることなく干すことができる構造を開示している。
【先行技術文献】
【特許文献】
【０００３】
【特許文献１】実用新案登録第３０８１５３２号公報
【発明の概要】
【発明が解決しようとする課題】
【０００４】
しかしながら、ニット製品は伸びるので型崩れしやすく、特にウール製品は、水の中で動かすと繊維が絡み合って縮みやすいので、短時間で洗い上げないといけないが、ニット製品によっては洗浄液がなかなか落ちず、濯ぎの時間が長くなってしまう。
また、特許文献１の洗濯物干し具は、本体を物干し竿に吊り下げて使用するのだが、一般的に、物干し竿は日光の当たる場所に設置される。そのような場所ではニット製品に日光が当たってしまい、ニット製品の日焼けによる変色の原因になってしまう。
【０００５】
したがって本発明の目的は、ニット製品の手洗い洗濯を短時間で完了させて、ニット製品の縮みや型崩れを防止し、ニット製品の日焼けによる変色を防ぐこともできるニット製品の手洗い洗濯用補助具兼平干し台及び、ニット製品の手洗い洗濯用補助具兼平干し台を使用したニット製品の手洗い洗濯方法を提供することである。
【課題を解決するための手段】
【０００６】
本発明に係るニット製品の手洗い洗濯用補助具兼平干し台は、ニット製品を手洗い洗濯する際の濯ぎを行う工程で用いられる、あるいは、洗濯が完了したニット製品を乾燥させる際に用いられるものであって、
棚部と脚部とを備え、
棚部は、平坦で通水孔を有し、上面側は、ニット製品が重ならないよう広げた状態で載せることができる大きさで、
脚部は、棚部を略水平に支持するように、棚部の下面側に固定手段により固定されている。
【０００７】
棚部は平坦で通水孔を有するので、手洗い洗濯用補助具兼平干し台の棚部の上面側に、洗浄後のニット製品を重ならないよう広げた状態で載せ、該ニット製品の上部からシャワー、あるいは、容器に溜めた水で勢いよく散水すれば、水がニット製品の内部を通過しながら、汚れや洗剤液をニット製品の外に押し流し、棚部を通過して、手洗い洗濯用補助具兼平干し台の下方に放出される。その結果、何度も濯ぎの水を取り替える必要がなく、濯ぎが短時間で完了する。
【０００８】
また、手洗い洗濯用補助具兼平干し台は、棚部が略水平なので、その上でニット製品を干せば、ニット製品の型崩れ防止になり、持ち運びも可能なので、風通しの良い日陰に設置すれば、ニット製品に直射日光が当たらず変色の心配がない。
【０００９】
好ましくは、棚部が略半分に分割され、該分割された棚部の上面側が合わさるように、該分割された部分が、折り畳み可能な連結手段により連結されている。
【００１０】
手洗い洗濯補助具兼平干し台を使用後は、棚部を折り畳むことにより、収納場所をとらない。
【００１１】
また、好ましくは、脚部は棚部に、折り畳み自在の連結手段により連結されている。
【００１２】
手洗い洗濯補助具兼平干し台を使用後は、脚部を折り畳むことにより、収納場所をとらない。
【００１３】
本発明に係るニット製品の手洗い洗濯方法は、第１工程から第２工程、第３工程、第４工程の順に行われる洗濯方法であって、
ニット製品が重ならないよう広げた状態で収納できる大きさの洗濯ネットに、ニット製品を重ならないよう広げた状態で収納する第１工程と、
ニット製品を、洗剤を含む洗浄液の中で手洗いする第２工程と、
洗浄後の洗濯ネットに収納されたニット製品を、前記手洗い洗濯用補助具兼平干し台のうちの何れか１つの棚部の上面側に広げて載せ、上方よりきれいな水を勢いよく散水することにより濯ぎを行う第３工程と、
濯ぎが完了したニット製品を、洗濯機で脱水し、洗濯ネットから取り出す第４工程とで構成されている。
【００１４】
水を含むと重くなるニット製品が、第１工程から第４工程が完了するまで、洗濯ネットの中で重ならないよう広げた状態のままで収納されているので、ニット製品が取り扱いやすく、型崩れ防止にもなる。
【００１５】
また、第３工程では、手洗い洗濯用補助具兼平干し台の棚部の上面側に、洗浄後のニット製品を載せ、その上部からシャワー、あるいは、容器に溜めた水を勢いよく散水すれば、水がニット製品の内部の汚れや洗剤液をニット製品の外に押し流してくれるので、従来のように何度も濯ぎの水を取り替える必要がなく、短時間で濯ぎが完了する。その結果、ニット製品の縮みや型崩れの防止になる。
【００１６】
なお、ニット製品を重ならないよう広げた状態とは、例えば、セーターならば、前身頃と後ろ身頃は重なるが、袖の部分は身頃に重ならない状態であり、例えば、手袋なら、右手の手袋と左手の手袋が重ならならず、指の部分も重ならないように離した状態である。
【発明の効果】
【００１７】
以上のように本発明によれば、ニット製品の手洗い洗濯を短時間で完了させて、ニット製品の縮みや型崩れを防止し、ニット製品の日焼けによる変色を防ぐこともできるニット製品の手洗い洗濯用補助具兼平干し台及び、ニット製品の手洗い洗濯用補助具兼平干し台を使用したニット製品の手洗い洗濯方法を提供することができる。
【図面の簡単な説明】
【００１８】
【図１】第１実施形態における本発明の斜視図である。
【図２】第１実施形態における本発明の平面図である。
【図３】第１実施形態における本発明の正面図（背面図）である。
【図４】第１実施形態における本発明の右側面図（左側面図）である。
【図５】第１実施形態の脚部の変形例の正面図（背面図）である。
【図６】第１実施形態の使用状態を示した説明図である。
【図７】第１実施形態の使用状態を示した説明図である。
【図８】第２実施形態における本発明の斜視図である。
【図９】第２実施形態における本発明の平面図である。
【図１０】第２実施形態における本発明の底面図である。
【図１１】第２実施形態における本発明の正面図（背面図、右側面図、左側面図）である。
【図１２】第３実施形態における本発明の棚部の正面図（背面図）である。
【図１３】第３実施形態における本発明の右側面図（左側面図）
【図１４】第３実施形態における本発明の使用状態を示した説明図である。
【図１５】第３実施形態における脚部を折り畳んだ状態を示す斜視図である。
【図１６】第４実施形態における本発明の斜視図である。
【図１７】第４実施形態における本発明の平面図である。
【図１８】第４実施形態における本発明の正面図である。
【図１９】第４実施形態における本発明の右側面図である。
【図２０】第４実施形態における棚部及び脚部を折り畳んだ状態を示す説明図である。
【図２１】特許文献１の実施例を示す斜視図である。
【発明を実施するための形態】
【００１９】
以下、本発明を実施するための好適な形態について図を用いて説明する。なお、以下に説明する実施形態は、本発明の代表的な実施形態の一例を示したものであり、本発明の課題を解決できるものであれば、他の形態も実施可能である。
【００２０】
本発明に係る第１実施形態について説明する。図１は、第１実施形態におけるニット製品の手洗い洗濯用補助具兼平干し台１の斜視図である。ニット製品の手洗い洗濯用補助具兼平干し台１は、棚部１０と２つの脚部１４とからなる。棚部１０は平坦な棚で、脚部１４は棚部１０を略水平に支持するように、棚部１０の下面側に設けられ、何れもステンレス製の杆状の線材を用いて一体的に溶着されている。
【００２１】
図２は、第１実施形態におけるニット製品の手洗い洗濯用補助具兼平干し台１の平面図である。図２に示すように、棚部１０は、ニット製品６を広げて載せられるほどの大きさの四角形（８０ｃｍ×８０ｃｍ）の枠体１１と、該枠体１１の内側が線材１２を用いて格子状になるように、各部材間が溶接で固定されている。また、枠体１１は内側の線材１２よりも大径のステンレス製ワイヤーを使用し、強度性を高めている。なお、棚部１０の大きさは一例で、ニット製品６の大きさに合わせて決めればよい。
【００２２】
図３はニット製品の手洗い洗濯用補助具兼平干し台１の正面図（背面図）、図４はニット製品の手洗い洗濯用補助具兼平干し台１の右側面図（左側面図）である。図３、図４に示すように、２つの脚部１４はステンレス製ワイヤーをＵ字型に折り曲げ、両端が棚部１０の下面側に左右対称となるように、溶接により固定されている。
【００２３】
また、図５及び図７に示すように、脚部１４がより安定するように、Ｕ字型の脚部１４の底の部分を外側に折り曲げた脚部１４ａでもよい。なお、底を外側に折り曲げる部分はこれに限らず、底の一部分を外側に折り曲げてもよい。
【００２４】
ニット製品の手洗い洗濯用補助具兼平干し台１では、枠体１１の内側が線材１２を用いて格子状に形成されているので、その格子の隙間が通水孔１３の役目をする。図６に示すように、手洗い洗浄後のニット製品６を、ニット製品の手洗い洗濯用補助具兼平干し台１の上面側に広げて載せ、その上方からシャワー７で勢いよく散水すると、ニット製品６の中の汚れた洗浄液がニット製品６の外に押し出され、通水孔１３を通過して、棚部１０の下方に放出される。その結果、容器に水を溜めてニット製品６を濯ぐ必要はなく、濯ぎの水を取り替える必要もないので、濯ぎが短時間で完了する。また、ニット製品６を何度も動かさないので、繊維が絡まず、型崩れや縮みを抑えることができる。なお、素材のステンレス製ワイヤーは錆びにくいが、酸性には弱いので、酸性の洗濯用品を使用してはならない。
【００２５】
また、ニット製品の手洗い洗濯用補助具兼平干し台１は持ち運びが可能なので、洗濯後のニット製品６を干すときは、風通しの良い日陰に設置できる。ニット製品の手洗い洗濯用補助具兼平干し台１の棚部１０の上面側には、ニット製品６が重ならないように広げて載せられるので、図７に示すように、手洗い洗濯が完了したニット製品６を棚部１０の上面側に広げて干せば、ニット製品６が型崩れせず、また、通水孔１３が通風孔の役目をして、濡れたニット製品６の乾きが早い。
【００２６】
次に、第２実施形態について説明する。図８は、第２実施形態におけるニット製品の手洗い洗濯用補助具兼平干し台２の斜視図である。第２実施形態におけるニット製品の手洗い洗濯用補助具兼平干し台２は、合成樹脂製の棚部２０と４つの脚部２４とで構成されている。
【００２７】
ニット製品の手洗い洗濯用補助具兼平干し台２に係る、図９は平面図、図１０は底面図、図１１は正面図（背面図、右側面図、左側面図）である。図９から図１１に示すように、棚部２０は、ニット製品６を広げて載せられるほどの大きさの四角形（縦８０ｃｍ×横８０ｃｍ）の枠体２１と該枠体２１の内側が格子状になるように合成樹脂で一体成型された平坦な棚である。脚部２４は、棚部２０を略水平に支持するように、棚部２０の下面側にねじ込み式で連結されている。なお、棚部２０の大きさは一例で、ニット製品６の大きさに合わせて決めればよい。
【００２８】
ニット製品の手洗い洗濯用補助具兼平干し台２では、脚部２４がねじ込み式で棚部２０に連結されているので、脚部２４を取り外せば、収納しやすい。その他の作用効果は実施の形態１と略同じであるので説明は省略する。
【００２９】
次に、第３実施形態について説明する。第３実施形態におけるニット製品の手洗い洗濯用補助具兼平干し台３は、第１実施形態におけるニット製品の手洗い洗濯用補助具兼平干し台１と略同じであるが、脚部３４が折り畳める点が異なる。以下、第１実施形態と異なる点を中心に説明する。
【００３０】
図１２は、第３実施形態におけるニット製品の手洗い洗濯用補助具兼平干し台３の棚部３０の正面図（背面図）である。図１２に示すように、棚部３０の下面側には、脚部３４を固定するためのステンレス製の固定枠３５が、溶接により設けられ、該固定枠３５には棚部３０と脚部３４を連結するための取付け穴３６が設けられている。
【００３１】
図１３は、第３実施形態におけるニット製品の手洗い洗濯用補助具兼平干し台３の右側面図（左側面図）である。図１３に示すように、脚部３４は、Ｕ字型のステンレス製のワイヤーの両端部が内側に略９０度折り曲げられ、該両端部が取付け穴３６に差し込まれている。脚部３４は、固定枠３５により動かないように固定されている。
【００３２】
図１３から図１５に示すように、取付け穴３６に差し込まれた脚部３４の両端を、固定枠３５の外側まで手で広げて、脚部３４を棚部３０の中央側に折り畳むことができる。なお、棚部３０と脚部３４を折り畳み脚用の金具を介して連結して、脚部３４が折り畳み自在になるようにしてもよい。
【００３３】
ニット製品の手洗い洗濯用補助具兼平干し台３は、脚部３４が折り畳めるので、収納するとき場所を取らない。その他の作用効果は第１実施形態と略同じであるので説明は省略する。
【００３４】
次に、第４実施形態について説明する。図１６は、第４実施形態におけるニット製品の手洗い洗濯用補助具兼平干し台４の斜視図である。第４実施形態におけるニット製品の手洗い洗濯用補助具兼平干し台４は、第３実施形態におけるニット製品の手洗い洗濯用補助具兼平干し台３と略同じ構成であるが、ニット製品の手洗い洗濯用補助具兼平干し台３の略半分の大きさのものを２つ並べ、棚部４０の上面側を合わせて折り畳み自在になるように、棚部４０の枠体４１を、連結手段により連結した点に特徴がある。その他の構成は第３実施形態と同様であるので、以下、第３実施形態と異なる点を中心に説明する。
【００３５】
図１６と図１７に示すように、棚部４０は、第３実施形態の棚部３０の半分の大きさ（縦８０ｃｍ×横４０ｃｍ）で、棚部３０と略同じ大きさ（縦８０ｃｍ×横８０ｃｍ）になるように、棚部４０を２つ並べて連結する。棚部４０の上面側が合わさって折り畳み自在になるように、２つの棚部４０の隣り合う枠体４１を、結束チューブ４７で連結する。なお、棚部４０の連結手段はこれに限らず、例えばヒンジを使用してもよい。
【００３６】
図１６、図１８、図１９に示すように、脚部４０も実施の形態３に係る手洗い洗濯用補助具兼平干し台３の脚部３４と同じ構造で、大きさの違うものが、折り畳み自在となるように設けられている。
なお、棚部４０と脚部４４を折り畳み脚用の金具を介して連結して、脚部４４が折り畳み自在になるようにしてもよい。
【００３７】
また、図２０に示すように、棚部４０を折り畳んだとき、棚部４０が開かないようにするため、枠体４１の縁に合成樹脂製の結束バント４８が設けられている。なお、棚部４０が開かないようにするための手段は、結束バント４８に限らず、例えばビニール製の紐で縛ってもよい。
【００３８】
手洗い洗濯用補助具兼平干し台４では、棚部４０及び脚部４４を折り畳むことができるので、収納するとき場所を取らない。また、棚部４０を折り畳んだとき、結束バンド４８が設けられているので、折り畳まれた棚部４０が開かない。その他の作用効果は第１実施形態と略同じであるので説明は省略する。
【００３９】
次に、第５実施形態について説明する。第５実施形態は、第１工程から第２工程、第３工程、第４工程の順に行われる洗濯方法である。
【００４０】
第１工程は、ニット製品６が重ならないよう広げた状態で収納できる大きさ（縦８０ｃｍ×横８０ｃｍ）の洗濯ネット８に、ニット製品６を重ならないよう広げた状態で収納する工程である。なお、洗濯ネット８の大きさは、これに限らず、ニット製品が重ならないように広げた状態で収納できる大きさであればよい。
【００４１】
第２工程は、ニット製品６を、洗剤を含む洗浄液の中で手洗いする工程である。容器に作った洗剤を含んだ洗浄液の中で、洗濯ネット８に収納されたニット製品６を折り畳み、押し洗い又はつけこみ洗いする工程である。
【００４２】
第３工程は、本発明のニット製品の手洗い洗濯用補助具兼平干し台１の棚部１０の上面側に、洗浄後のニット製品６が収納された洗濯ネット８を広げて載せ、上方よりきれいな水を勢いよく散水することで濯ぎを行う工程である。
【００４３】
図６に示すように、洗浄後の洗濯ネット８に収納されたニット製品６を、手洗い洗濯用補助具兼平干し台１の上面側に広げて載せ、その上方からシャワー７で勢いよく散水して、ニット製品６の中に含まれる洗浄液を、該ニット製品６の外に押し流す。
なお、ニット製品６の上部からの散水は、シャワー７に限らず、容器に溜めた水を勢いよくかけてもよい。
【００４４】
第４工程は、濯ぎが完了したニット製品６を柔軟仕上げ剤の入った水につけた後、洗濯機で軽く脱水し、洗い上がったニット製品６を洗濯ネット８から取り出す工程である。
【００４５】
ニット製品は、水を含むと重くなり、扱いにくくなるので、洗う前に洗濯ネット８に入れておくことにより、洗い終わるまでの作業が非常に楽になる。特に、第３工程では、洗浄液を含んで重くなったニット製品でも、ニット製品の手洗い洗濯用補助具兼平干し台の上面に広げやすく、その結果、ニット製品６の隅々まで、水をかけることができる。
【００４６】
また、ニット製品の上方からシャワー７で勢いよく散水することにより、ニット製品６の中の汚れた洗浄液がニット製品６の外に押し出され、通水孔１３を通過して、棚部１０の下方に放出される。その結果、容器に水を溜めてニット製品６を濯ぐ必要はなく、濯ぎの水を取り替える必要もないので、濯ぎが短時間で完了する。また、ニット製品６を何度も動かさないので、型崩れや縮みを抑えることができる。
【００４７】
なお、このニット製品の手洗い洗濯方法において、ニット製品の手洗い洗濯用補助具兼平干し台２やニット製品の手洗い洗濯用補助具兼平干し台３及びニット製品の手洗い洗濯用補助具兼平干し台４も、ニット製品の手洗い洗濯用補助具兼平干し台１と同様に使用することができる。
【符号の説明】
【００４８】
１、２、３、４：ニット製品の手洗い洗濯用補助具兼平干し台
６：ニット製品
７：シャワー 
８：洗濯ネット
１０、２０、３０、４０：棚部
１１、２１、４１：枠体
１２：線材
１３、２３、３３、４３：通水孔
１４、１４ａ、２４、３４、４４：脚部
３５：固定枠
３６：取付け穴
４７：結束チューブ
４８：結束バンド
【図１】
2018094047.tif 000003
【図２】
2018094047.tif 000004
【図３】
2018094047.tif 000005
【図４】
2018094047.tif 000006
【図５】
2018094047.tif 000007
【図６】
2018094047.tif 000008
【図７】
2018094047.tif 000009
【図８】
2018094047.tif 000010
【図９】
2018094047.tif 000011
【図１０】
2018094047.tif 000012
【図１１】
2018094047.tif 000013
【図１２】
2018094047.tif 000014
【図１３】
2018094047.tif 000015
【図１４】
2018094047.tif 000016
【図１５】
2018094047.tif 000017
【図１６】
2018094047.tif 000018
【図１７】
2018094047.tif 000019
【図１８】
2018094047.tif 000020
【図１９】
2018094047.tif 000021
【図２０】
2018094047.tif 000022
【図２１】
2018094047.tif 000023
【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
ニット製品を手洗い洗濯する際、ニット製品の手洗い洗濯用補助具兼平干し台を用いて濯ぎを行う洗濯方法であって、
前記ニット製品の手洗い洗濯用補助具兼平干し台は、棚部と脚部とを備え、
前記棚部は、平坦で通水孔を有し、上面側は、前記ニット製品が重ならないよう広げた状態で載せることができる大きさで、
前記脚部は、前記棚部を略水平に支持するように、前記棚部の下面側に固定手段により固定され、
前記棚部の上面側に、洗剤液の中で洗ったニット製品を広げて載せ、上方よりきれいな水を勢いよく散水することにより濯ぎを行うことを特徴とするニット製品の手洗い洗濯方法。
【請求項２】
前記棚部が略半分に分割され、
該分割された前記棚部の上面側が合わさるように、該分割された部分が、折り畳み可能な連結手段で連結されていることを特徴とする請求項１に記載のニット製品の手洗い洗濯方法。
【請求項３】
前記脚部が前記棚部に、折り畳み自在の連結手段により連結されていることを特徴とする請求項１又は請求項２に記載のニット製品の手洗い洗濯方法。
【手続補正３】
【補正対象書類名】明細書
【補正対象項目名】０００１
【補正方法】変更
【補正の内容】
【０００１】
本発明は、ニット製品の手洗い洗濯用補助具兼平干し台を使用したニット製品の手洗い洗濯方法に関する。
【手続補正４】
【補正対象書類名】明細書
【補正対象項目名】０００２
【補正方法】変更
【補正の内容】
【０００２】
従来、ニット素材で作られたセーターやカーディガンなどのニット製品を、家庭において手洗い洗濯するときは、ニット製品を扱い易い大きさに折り畳み、容器に作った洗浄液の中で該ニット製品を押し洗いし、洗浄後は容器に溜めた水で濯ぎ、洗濯機で脱水するという方法が一般的である。
【手続補正５】
【補正対象書類名】明細書
【補正対象項目名】０００３
【補正方法】削除
【補正の内容】
【手続補正６】
【補正対象書類名】明細書
【補正対象項目名】０００４
【補正方法】変更
【補正の内容】
【０００４】
しかしながら、ニット製品は伸びるので型崩れしやすく、特にウール製品は、水の中で動かすと繊維が絡み合って縮みやすいので、短時間で洗い上げないといけないが、ニット製品によっては洗浄液がなかなか落ちず、濯ぎの時間が長くなってしまう。
【手続補正７】
【補正対象書類名】明細書
【補正対象項目名】０００５
【補正方法】変更
【補正の内容】
【０００５】
したがって本発明の目的は、ニット製品の手洗い洗濯を短時間で完了させて、ニット製品の縮みや型崩れを防止できる、ニット製品の手洗い洗濯用補助具兼平干し台を使用したニット製品の手洗い洗濯方法を提供することである。
【手続補正８】
【補正対象書類名】明細書
【補正対象項目名】０００６
【補正方法】変更
【補正の内容】
【０００６】
本発明に係るニット製品の手洗い洗濯方法は、ニット製品を手洗い洗濯する際、ニット製品の手洗い洗濯用補助具兼平干し台を用いて濯ぎを行う。ニット製品の手洗い洗濯用補助具兼平干し台は、棚部と脚部とを備え、棚部は、平坦で通水孔を有し、上面側は、ニット製品が重ならないよう広げた状態で載せることができる大きさで、脚部は、棚部を略水平に支持するように、棚部の下面側に固定手段により固定されている。棚部の上面側に、洗剤液の中で洗ったニット製品を広げて載せ、上方よりきれいな水を勢いよく散水することにより濯ぎを行う洗濯方法である。
【手続補正９】
【補正対象書類名】明細書
【補正対象項目名】０００７
【補正方法】変更
【補正の内容】
【０００７】
棚部は平坦で通水孔を有するので、手洗い洗濯用補助具兼平干し台の棚部の上面側に、洗浄後のニット製品を重ならないよう広げた状態で載せ、該ニット製品の上部からシャワー、あるいは、容器に溜めた水で勢いよく散水すれば、水がニット製品の内部を通過しながら、汚れや洗剤液をニット製品の外に押し流し、棚部を通過して、手洗い洗濯用補助具兼平干し台の下方に放出されるので、何度も濯ぎの水を取り替える必要がなく、濯ぎが短時間で完了する。その結果、ニット製品の縮みや型崩れの防止になる。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
なお、ニット製品を重ならないよう広げた状態とは、例えば、セーターならば、前身頃と後ろ身頃は重なるが、袖の部分は身頃に重ならない状態であり、例えば、手袋なら、右手の手袋と左手の手袋が重ならず、指の部分も重ならないように離した状態である。
【手続補正１４】
【補正対象書類名】明細書
【補正対象項目名】００１７
【補正方法】変更
【補正の内容】
【００１７】
以上のように本発明によれば、ニット製品の手洗い洗濯を短時間で完了させて、ニット製品の縮みや型崩れを防止、ニット製品の手洗い洗濯用補助具兼平干し台を使用したニット製品の手洗い洗濯方法を提供することができる。
【手続補正１５】
【補正対象書類名】明細書
【補正対象項目名】００１８
【補正方法】変更
【補正の内容】
【００１８】
【図１】第１実施形態における本発明の斜視図である。
【図２】第１実施形態における本発明の平面図である。
【図３】第１実施形態における本発明の正面図（背面図）である。
【図４】第１実施形態における本発明の右側面図（左側面図）である。
【図５】第１実施形態の脚部の変形例の正面図（背面図）である。
【図６】第１実施形態の使用状態を示した説明図である。
【図７】第１実施形態の使用状態を示した説明図である。
【図８】第２実施形態における本発明の斜視図である。
【図９】第２実施形態における本発明の平面図である。
【図１０】第２実施形態における本発明の底面図である。
【図１１】第２実施形態における本発明の正面図（背面図、右側面図、左側面図）である。
【図１２】第３実施形態における本発明の棚部の正面図（背面図）である。
【図１３】第３実施形態における本発明の右側面図（左側面図）
【図１４】第３実施形態における本発明の使用状態を示した説明図である。
【図１５】第３実施形態における脚部を折り畳んだ状態を示す斜視図である。
【図１６】第４実施形態における本発明の斜視図である。
【図１７】第４実施形態における本発明の平面図である。
【図１８】第４実施形態における本発明の正面図である。
【図１９】第４実施形態における本発明の右側面図である。
【図２０】第４実施形態における棚部及び脚部を折り畳んだ状態を示す説明図である。
【手続補正１６】
【補正対象書類名】明細書
【補正対象項目名】００１９
【補正方法】変更
【補正の内容】
【００１９】
以下、本発明を実施するためのニット製品の手洗い洗濯用補助具兼平干し台の好適な形態について図を用いて説明する。なお、以下に説明する実施形態は、本発明の代表的な実施形態の一例を示したものであり、本発明の課題を解決できるものであれば、他の形態も実施可能である。
【手続補正１７】
【補正対象書類名】明細書
【補正対象項目名】００３９
【補正方法】削除
【補正の内容】
【手続補正１８】
【補正対象書類名】明細書
【補正対象項目名】００４０
【補正方法】削除
【補正の内容】
【手続補正１９】
【補正対象書類名】明細書
【補正対象項目名】００４１
【補正方法】削除
【補正の内容】
【手続補正２０】
【補正対象書類名】明細書
【補正対象項目名】００４２
【補正方法】削除
【補正の内容】
【手続補正２１】
【補正対象書類名】明細書
【補正対象項目名】００４３
【補正方法】削除
【補正の内容】
【手続補正２２】
【補正対象書類名】明細書
【補正対象項目名】００４４
【補正方法】削除
【補正の内容】
【手続補正２３】
【補正対象書類名】明細書
【補正対象項目名】００４５
【補正方法】削除
【補正の内容】
【手続補正２４】
【補正対象書類名】明細書
【補正対象項目名】００４６
【補正方法】削除
【補正の内容】
【手続補正２５】
【補正対象書類名】明細書
【補正対象項目名】００４７
【補正方法】削除
【補正の内容】
【手続補正２７】
【補正対象書類名】図面
【補正対象項目名】図２１
【補正方法】削除
【補正の内容】